(57)【要約】【課題】表示ユニットに局所的に大きな外力が加わった場合でも、破損を防止することができる電子機器を提供する。【解決手段】表示ユニット１０８と、表示ユニット１０８を保持する保持部材２０１と、後カバー１０７を備える。そして保持部材２０１は、表示ユニット１０８と後カバー１０７の間に、前記保持部材が複数回重ねられた折重部２０１−Ａを備える。また、保持部材２０１は、折重部２０１−Ａの両端から折重部２０１−Ａに対して略垂直に延設された支持部２０１−Ｂが形成されている。【選択図】図２２
2010044333.tif 000002
【特許請求の範囲】
【請求項１】
表示ユニットと、
前記表示ユニットを保持する保持部材と、
外装カバーを備え、
前記保持部材は、前記表示ユニットと前記外装カバーの間に、前記保持部材が複数回重ねられた折重部と、前記折重部の両端から前記折重部に対して略垂直に延設された支持部が形成されていることを特徴とする電子機器。
【請求項２】
前記表示ユニットの直上に透明な保護窓を備え、
前記外装カバーは、前記保護窓を支持する略ロの字形状の支持部と、前記折重部のうち前記外装に最近傍となる第一の面が略当接するように設けられた溝部を備え、
前記支持部の非外観側面と、前記折重部のうち前記表示ユニットに最近傍となる第二の面を、略同一面となるように構成することを特徴とする請求項１記載の電子機器。
【請求項３】
前記保持部材は、前記折重部の両端から前記支持部の近傍において、電池収納部に支持されていることを特徴とする請求項１記載の電子機器。
【請求項４】
前記保持部材は、ベース面に対して略直角に延設された折り曲げ部を有し、前記折り曲げ部は少なくとも１つの開口部を有することを特徴とする請求項１記載の電子機器。
【発明の詳細な説明】
【技術分野】
【０００１】
本発明は、デジタルカメラ等の電子機器に関し、特に、耐外圧性を向上させるための表示ユニットの保持機構に特徴のある電子機器に関する。
【背景技術】
【０００２】
近年、デジタルカメラにおいて、撮影された画像の確認や撮影条件等の各種情報表示を行うために備えられた表示ユニット（液晶パネル、有機ＥＬ等）の大型化が主流となっている。
【０００３】
表示ユニットの大型化に伴い、表示ユニットの直上に配設される外装においても、表示ユニットの表示面に対応するように設けられている開口部サイズが大きくなっている。
【０００４】
これにより、外装の開口部近傍の剛性も低下するので、開口部サイズが小さいものと比較すると、相対的に耐外圧性が下がってしまうことになる。
【０００５】
このようなことから、特許文献１には、以下の技術が提案されている。
【０００６】
即ち、特許文献１では、電子機器の表示ユニット近傍に加わった外力による表示ユニットの破損を防止するために、表示ユニットと外装の間にクッション材を挟み込み、更に外装の開口部に切り欠き部を形成することにより、外力を分散し外装の撓みを低減させている。
【特許文献１】特開２００５−１８９５１２号公報
【発明の開示】
【発明が解決しようとする課題】
【０００７】
しかしながら、上記従来技術では、所的に大きな外力が加わった際に、クッション材を介して表示ユニットに外力が伝わるケースや、外装の開口端部が表示ユニットに接触するケースが残在しており、表示ユニットの破損に対して十分な対策がなされていないという問題があった。
【０００８】
本発明の目的は、表示ユニットに局所的に大きな外力が加わった場合でも、破損を防止することができる電子機器を提供することにある。
【課題を解決するための手段】
【０００９】
上記目的を達成するために、請求項１記載の電子機器は、表示ユニットと、前記表示ユニットを保持する保持部材と、外装カバーを備え、前記保持部材は、前記表示ユニットと前記外装カバーの間に、前記保持部材が複数回重ねられた折重部と、前記折重部の両端から前記折重部に対して略垂直に延設された支持部が形成されていることを特徴とする。
【発明の効果】
【００１０】
本発明の電子機器によれば、表示ユニットに局所的に大きな外力が加わった場合でも、破損を防止することができる。
【発明を実施するための最良の形態】
【００１１】
以下、本発明を図面を参照しながら詳細に説明する。
【００１２】
図１は、本発明の実施の形態に係る電子機器としてのデジタルカメラの正面図、図２は、本発明の実施の形態に係る電子機器としてのデジタルカメラの右側面図、図３は、本発明の実施の形態に係る電子機器としてのデジタルカメラの左側面図である。
【００１３】
また、図４は、本発明の実施の形態に係る電子機器としてのデジタルカメラの背面図、図５は、本発明の実施の形態に係る電子機器としてのデジタルカメラの上面図、図６は、本発明の実施の形態に係る電子機器としてのデジタルカメラの底面図である。
【００１４】
また、図７は、本発明の実施の形態に係る電子機器としてのデジタルカメラの正面斜視図、図８は、本発明の実施の形態に係る電子機器としてのデジタルカメラの背面斜視図である。
【００１５】
図１乃至図８において、デジタルカメラは、撮影光学系を構成している鏡筒１０１、前カバー１０２、ストロボ１０３、ＡＦ補助光窓１０４、端子カバー１０５を備える。
【００１６】
端子カバー１０５は、硬質プリント基板或いはフレキシブルプリント基板上に実装された端子類を保護する。本実施の形態では、テレビ受信機等の外部映像デバイスに接続するためのアナログビデオ端子、外部直流電源に接続するための電源端子、ＰＣ等に接続するためのデジタル端子のうち少なくとも１つまたは複数を備えるものとする。
【００１７】
また、デジタルカメラは、ストラップ紐を通すための孔を備えたストラップリング１０６、後カバー（外装カバー）１０７、撮影画像の確認・再生、撮影条件等の各種情報を表示するための表示ユニット（液晶表示装置）１０８、操作部材１０９を備える。
【００１８】
操作部材１０９は、時計・反時計回りに回動可能で且つ上下左右４箇所に対し押し込み操作が可能なダイヤルと、その周囲のボタンから構成されている。
【００１９】
ズームレバー１１０は、光学式変倍機能或いはデジタル式変倍機能において、その倍率を調節操作するためのものであり、レリーズボタン１１１の中心に対し回動可能に備えられている。レリーズボタン１１１は、撮影準備及び撮影開始機能を備えている。
【００２０】
パワーボタン１１２は、デジタルカメラの電源のＯＮ／ＯＦＦを行う。モードレバー１１３は、撮影モードと再生モードの切り替えを行う。
【００２１】
上カバー１１４は、ズームレバー１１０、レリーズボタン１１１、パワーボタン１１２、モードレバー１１３を保持する。
【００２２】
電池蓋１１５は、スライド及び回動動作が可能である。三脚ネジ部１１６は、三脚台に固定するために備えられたものである。保護窓１１８は、後カバー１０７に貼り付けられ、表示ユニット１０８を保護するためのものであり、本実施の形態では後カバー１０７に対して両面テープにより保持されている。
【００２３】
図９は、図１のデジタルカメラの電気的構成を示すブロック図である。
【００２４】
ＣＰＵ３１６は、デジタルカメラ全体を制御するものであり、ＣＰＵ３１６に備えられた制御プログラムに基づき各部を制御する。この制御プログラムは、ＣＰＵ３１６に接続されたフラッシュメモリ３１８に記憶されている。
【００２５】
ＳＤＲＡＭ３１７は、ＣＰＵ３１６のワーキングエリアで、書き換え可能なデータがシーケンスに従い随時記録され、読み出されている。
【００２６】
光学系３１０を通ってＣＣＤ３１１に取り込まれた被写体像は、ＣＣＤ制御部３１３により光信号から電気信号に変換され、アナログ信号として出力される。そして、この信号のノイズが、ＣＤＳ／ＡＧＣ３０１のＣＤＳ（相関二重サンプリング回路）により除去され、更にＡＧＣ（自動利得制御回路）によって信号が増幅された後、Ａ／Ｄ変換器３１２によってアナログ信号からデジタル信号に変換される。
【００２７】
デジタル信号は、ＣＰＵ３１６に出力され、圧縮等の画像処理が施されてから記録媒体Ｉ／Ｆ３１５を通じて記録媒体に撮影データとして保存される。
【００２８】
また、表示ユニット１０８には位置検出部３２４が備えられており、位置検出部３２４により出力された検出信号は、入力信号処理部３２１を経由してＣＰＵ３１６にて各種処理が実行される。
【００２９】
処理された信号は、表示制御部３０２を経由し、Ｄ／Ａ変換器３２０によりデジタル信号からアナログ信号に変換された後、表示ユニット１０８に出力され、表示ユニット１０８に画像が表示される。
【００３０】
通信用Ｉ／Ｆ３１９は、外部電子機器であるところの例えばＰＣと通信可能に接続するためのＵＳＢ規格に準拠したインターフェースである。記録媒体Ｉ／Ｆ３１５は、記録媒体への画像データの書き込み及び画像データの読み出しを行うためのインターフェースである。
【００３１】
ＥＦ制御部３２３は、ＣＰＵ３１６の制御信号に基づき、ストロボ１０３の発光の有無・発光量・発光タイミング等を制御する。デジタルカメラは、その他に、光学系制御部３１４、調光制御部３２２を備える。
【００３２】
図１０は、図４における表示ユニットの保持部材への取り付け前の状態を示す斜視図、図１１は、図４における表示ユニットの保持部材への取り付け途中の状態を示す断面図である。また、図１２は、図４における表示ユニットの保持部材への取り付け完了状態を示す図である。図１２（ａ）は斜視図、（ｂ）はデジタルカメラにおける背面図である。
【００３３】
保持部材２０１は、表示ユニット１０８を保持固定するためのものであり、表示ユニット１０８を係止するための係止穴２０１−ｂを備えている。
【００３４】
表示ユニット１０８には、保持部材２０１に備えられた４箇所の係止穴２０１−ｂに対応した位置に係止爪１０８−ｂ（図１０：反対側の２箇所は不図示）が設けられている。また、表示ユニット１０８には、表示ユニット１０８と不図示のプリント基板間を電気的に接続し、画像情報等の信号を通信するためのフレキシブルプリント基板１０８−ａが設けられている。
【００３５】
表示ユニット１０８の保持部材２０１への取り付けは、図１０〜図１２の順序で行われる。
【００３６】
まず、表示ユニット１０８を保持部材２０１に対して斜めに把持する（図１０）。次に、表示ユニット１０８に備えられたフレキシブルプリント基板１０８−ａを、表示ユニット１０８の開口部２０１−ａに潜らせた後（図１１）、表示ユニット１０８に備えられた係止爪１０８−ｂを、保持部材２０１の係止穴２０１−ｂに嵌め込む。このことにより、表示ユニット１０８を、保持部材２０１に対して固定する（図１２）。
【００３７】
図１３は、図１０の表示ユニットと保持部材が取り付けられた構造体を示す図であり、（ａ）はデジタルカメラにおける背面図、（ｂ）は、斜視図である。また、図１４は、図１３（ａ）のＷ−Ｗ断面図である。
【００３８】
図１３、図１４において、メインフレーム２０２は、デジタルカメラ内に配設された複数の内部構造部材を保持する。電池収納部２０３は、デジタルカメラを駆動するための電源（電池）を収納する。硬質プリント基板２０４は、操作部材１０９の押圧部に対応する箇所にスイッチ類の電気部品が実装されている。
【００３９】
保持部材２０１に備えられた位置決め穴２０１−ｃ、２０１−ｄは、電池収納部２０３側に備えられた突起部２０３−ａ、２０３−ｂに嵌合され、これにより、保持部材２０１が位置決めされる。
【００４０】
また、メインフレーム２０２も、電池収納部２０３に備えられた不図示の２箇所の突起部によってその位置が決まる構成となっているので、保持部材２０１とメインフレーム２０２の位置精度も保証される。
【００４１】
保持部材２０１のメインフレーム２０２への取り付けは以下のように行う。
【００４２】
まず、保持部材２０１に備えられた、浮き止め用凸部２０１−ｆを、メインフレーム２０２の浮き止め用穴部２０２−ａに差し込み、保持部材２０１の位置決め穴２０１−ｃ、２０１−ｄを、電池収納部２０３の突起部２０３−ａ、２０３−ｂに嵌め込む。
【００４３】
そして、保持部材２０１は、保持部材２０１から表示ユニット１０８の取り付け面に対して垂直方向に延設された箇所に備えられている締結穴２０１−ｅを介して、メインフレーム２０２に備えられている締結部２０２−ｂにビス締め等の手段で固定される。尚、締結部２０２−ｂにはバーリング加工が施されている。
【００４４】
硬質プリント基板２０４は、直下に配置されている不図示のプリント基板に対し、コネクタにより接続されている。硬質プリント基板２０４にはＣＰＵ３１６、ＳＤＲＡＭ３１７、フラッシュメモリ３１８、通信用Ｉ／Ｆ３１９等の主要電気部品が実装されている。
【００４５】
また、硬質プリント基板２０４は、保持部材２０１から延設された締結部２０１−ｇにビス締めされている。これにより、硬質プリント基板２０４は、保持部材２０１とメインフレーム２０２の締結部２０２−ｂを介してアース部材であるところのメインフレーム２０２に電気的に接続されている。
【００４６】
図１５（ａ）、（ｂ）は、図１０における保持部材の斜視図、図１６は、図１０における保持部材の正面（上面）図、図１７は、図１６のＸ−Ｘ断面図、図１８は、図１０における保持部材の側面図、図１９は、図１６のＹ−Ｙ断面図である。また、図２０は、図１８のＦ１部の詳細図、図２１は、図１９のＦ２部の詳細図、図２２は、図２１に示される部分を拡大して示す図である。
【００４７】
次に図１５〜図２２に従って保持部材２０１の詳細について説明する。
【００４８】
保持部材２０１は、ベース面Ｈと、ベース面Ｈに対して直角（略直角）に折り曲げ加工が施された折り曲げ部Ｌ１、Ｌ２、Ｓ１、Ｓ２から構成されている（図１５）。
【００４９】
ここで、折り曲げ部Ｌ１、Ｌ２は、デジタルカメラを背面から見たときの表示ユニット１０８の長辺上側、長辺下側にそれぞれ対応し、折り曲げ部Ｓ１、Ｓ２は同様に、短辺左側、短辺右側に対応している。
【００５０】
近年の表示ユニット１０８の大型化の傾向に伴い、本実施の形態で挙げるところの表示ユニット長辺上下、短辺左側においては、表示ユニット１０８の外形端部がデジタルカメラの筐体外形の近傍に存在する（図４、図８）。
【００５１】
このため、表示ユニット１０８周辺の外装強度即ち耐外圧性という観点からみると、外装稜線近傍に表示ユニット１０８の外形端部が存在するので、短辺右側（操作部材側）の外装強度は、其の他３箇所と比較して相対的に弱くなる。
【００５２】
よって本実施の形態では、保持部材２０１の操作部材側（右側）の折り曲げ部Ｓ２を以下のように構成する。
【００５３】
まずベース面Ｈに対して直交するように折り曲げられ、更に表示ユニット１０８の表示面に略平行で、且つ表示ユニット１０８の表示面側に、折り曲げ部Ｓ２からの延設部が複数回重ねられるように折重部２０１−Ａを形成する（図２１）。
【００５４】
本実施の形態では、１枚の金属板を折り返して重ね合わせる加工手法（ヘミング加工）を用い、折り曲げ部Ｓ２からの延設部が２回重ねられた構成となっている。
【００５５】
そして、折重部２０１−Ａを形成する延設部の両端から、折重部２０１−Ａに対して略垂直に延設された支持部２０１−Ｂを形成する（図２０）。支持部２０１−Ｂの端部２０１−Ｂ２は、ベース面Ｈに対して略隙間零となるように形成されている。
【００５６】
また、これら折り曲げ部Ｓ２の各構成要素の機械的強度を補強する手段として、本実施の形態では、ベース面Ｈに対して直交するように折り曲げられた面に絞り加工部２０１−ｋを形成する。
【００５７】
また、折重部２０１−Ａと支持部２０１−Ｂの曲げ加工部にＶノッチ加工部２０１−ｊを形成する。更に、ベース面Ｈに対しても、ビート加工部２０１−ｈを形成することにより、折り曲げ部Ｓ２部の直上近傍からの外力による耐性を向上させている。
【００５８】
前述の通り、本実施の形態におけるデジタルカメラは、表示ユニット１０８の直上に、透明性の窓部材であるところの保護窓１１８を備えている。
【００５９】
後カバー１０７は、保護窓１１８を支持する略ロの字形状の支持部１０７−ｂと、保持部材２０１の折重部２０１−Ａのうち、後カバー１０７に最近傍となる第一の面２０１−Ａ２が略当接するように設けられた溝部１０７−ａを備えている。
【００６０】
そして、後カバー１０７に備えられた略ロの字形状の支持部１０７−ｂの非外観側面１０７−ｂ２と、保持部材２０１に備えられた折重部２０１−Ａのうち表示ユニット１０８に最近傍となる第二の面２０１−Ａ３を、略同一面となるように構成している。
【００６１】
これにより、デジタルカメラのサイズ的制約の中で表示ユニット１０８を保持部材２０１に組み込むための適切な空間が確保できる（図１０〜図１２）。また、過大な外力の印加により、保持部材２０１の折重部２０１−Ａに撓みが発生した場合でも、表示ユニット１０８の表示面までの距離が従来の構成と比較して大きく取れるので、表示ユニット１０８の破損リスクが低減する。
【００６２】
尚、上記空間とは、表示ユニット１０８の表示面から保持部材２０１のうち表示ユニット１０８に最近傍となる第二の面２０１−Ａ３により形成される空間のことである。
【００６３】
また、本実施の形態によれば、保持部材２０１の折重部２０１−Ａの両端から折重部２０１−Ａに対して略垂直に延設された支持部２０１−Ｂ近傍において、保持部材２０１が電池収納部２０３に備えられた支持部２０３−ｃに支持される構成としている（図１４）。
【００６４】
電池収納室２０３の支持部２０３−ｃは、保持部材２０１の２箇所の支持部２０１−Ｂ近傍にそれぞれ配設されている。
【００６５】
これにより、後カバー１０７への外力印加時に、保持部材２０１の折重部２０１−Ａを経由して支持部２０１−Ｂに伝達した外力が、支持部２０１−Ｂ近傍直下に配設されている電池収納室２０３の支持部２０３−ｃへ分散する。
【００６６】
また、本構成を採用することにより、外力印加時に表示ユニット１０８及び保持部材２０１が一体的にデジタルカメラ内部へ変位することによる内部機械部材及び電気部材の破損も防ぐことができる。
【００６７】
以上説明したように、本発明によれば、外装（後カバー１０７）の表示ユニット周辺に局所的な大きな外力が加わった場合でも、保持部材の折重部と支持部により、外力による外装の撓みを抑制し、外装が直接表示ユニットを押圧することによる表示ユニットの破損を防ぐことができる。
【００６８】
また、クッション材その他別部材の追加によるコストアップ無しに、良好な組み立て性を確保しつつ、表示ユニットへの耐外圧性の高い電子機器（デジタルカメラ）を提供することができる。
【図面の簡単な説明】
【００６９】
【図１】本発明の実施の形態に係る電子機器としてのデジタルカメラの正面図である。
【図２】本発明の実施の形態に係る電子機器としてのデジタルカメラの右側面図である。
【図３】本発明の実施の形態に係る電子機器としてのデジタルカメラの左側面図である。
【図４】本発明の実施の形態に係る電子機器としてのデジタルカメラの背面図である。
【図５】本発明の実施の形態に係る電子機器としてのデジタルカメラの上面図である。
【図６】本発明の実施の形態に係る電子機器としてのデジタルカメラの底面図である。
【図７】本発明の実施の形態に係る電子機器としてのデジタルカメラの正面斜視図である。
【図８】本発明の実施の形態に係る電子機器としてのデジタルカメラの背面斜視図である。
【図９】図１のデジタルカメラの電気的構成を示すブロック図である。
【図１０】図４における表示ユニットの保持部材への取り付け前の状態を示す斜視図である。
【図１１】図４における表示ユニットの保持部材への取り付け途中の状態を示す断面図である。
【図１２】図４における表示ユニットの保持部材への取り付け完了状態を示す図である。
【図１３】図１０の表示ユニットと保持部材が取り付けられた構造体を示す図である。
【図１４】図１３（ａ）のＷ−Ｗ断面図である。
【図１５】図１０における保持部材の斜視図である。
【図１６】図１０における保持部材の正面図である。
【図１７】図１６のＸ−Ｘ断面図である。
【図１８】図１０における保持部材の側面図である。
【図１９】図１６のＹ−Ｙ断面図である。
【図２０】図１８のＦ１部の詳細図である。
【図２１】図１９のＦ２部の詳細図である。
【図２２】図２１に示される部分を拡大して示す図である。
【符号の説明】
【００７０】
１０７  後カバー
１０７−ｂ  支持部
１０７−ｂ２  支持部（非外観側面）
１０８  表示ユニット
１１８  保護窓
２０１  保持部材
２０１−Ａ  折重部
２０１−Ａ２  折重部（第一の面）
２０１−Ａ３  折重部（第二の面）
２０１−Ｂ    支持部
２０３  電池収納部
Ｈ  ベース面
Ｌ１、Ｌ２、Ｓ１、Ｓ２  折り曲げ部
【図１】
2010044333.tif 000003
【図２】
2010044333.tif 000004
【図３】
2010044333.tif 000005
【図４】
2010044333.tif 000006
【図５】
2010044333.tif 000007
【図６】
2010044333.tif 000008
【図７】
2010044333.tif 000009
【図８】
2010044333.tif 000010
【図９】
2010044333.tif 000011
【図１０】
2010044333.tif 000012
【図１１】
2010044333.tif 000013
【図１２】
2010044333.tif 000014
【図１３】
2010044333.tif 000015
【図１４】
2010044333.tif 000016
【図１５】
2010044333.tif 000017
【図１６】
2010044333.tif 000018
【図１７】
2010044333.tif 000019
【図１８】
2010044333.tif 000020
【図１９】
2010044333.tif 000021
【図２０】
2010044333.tif 000022
【図２１】
2010044333.tif 000023
【図２２】
2010044333.tif 000024